(57)【特許請求の範囲】
【請求項１】
デジタル信号化された画像情報を保存した記憶媒体から画像情報を読出す媒体ドライブと、この媒体ドライブで読出した画像情報を表示するディスプレイと、オーダがあった画像情報をプリント装置に転送してプリントを可能にする処理手段とを備えているデジタル画像受付装置であって、
前記媒体ドライブが、前記記憶媒体をイジェクトするイジェクト機構と、この媒体ドライブ内における記憶媒体の存否を判別する存否センサを備えており、
前記処理手段は、前記媒体ドライブにセットされた前記記憶媒体から画像情報の読出しを終えた後に、前記イジェクト機構で記憶媒体のイジェクトを行い、媒体ドライブから記憶媒体を取出す操作を促すメッセージと、次の処理を実行するためのボタンとが表示された案内画面を前記ディスプレイに表示する処理を行うと共に、
この表示の後に、前記案内画面のボタンが操作された場合において、前記存否センサによって記憶媒体が存在することを判別した際には、アラームを作動させて前記案内画面の表示を維持し、前記存否センサによって記憶媒体が存在しないことを判別した際には、次の処理の実行を許すデジタル画像受付装置。
【請求項２】
前記処理手段は、複数種の前記記憶媒体に対応した複数のスイッチ部を有するメディア選択画面を前記ディスプレイに表示し、このメディア選択画面において使用する記憶媒体に対応するスイッチ部を選択した後に、前記案内画面をディスプレイに表示する処理を行う請求項１記載のデジタル画像受付装置。
【請求項３】
前記処理手段は、前記媒体ドライブで記憶媒体から読出した画像情報をサムネイル形式でディスプレイに表示し、この表示に基づいて入力されたプリントの要否を含むオーダ情報を保存した後に、オーダを識別する情報を含んだ受付証の発行を行うよう処理順序が設定されている請求項１又は２記載のデジタル画像受付装置。
【発明の詳細な説明】
【０００１】
【発明の属する技術分野】
本発明は、デジタル信号化された画像情報を保存した記憶媒体から画像情報を読出す媒体ドライブと、この媒体ドライブで読出した画像情報を表示するディスプレイと、オーダがあった画像情報を外部のプリント装置に転送してプリントを可能にする処理手段とを備えているデジタル画像受付装置に関する。
【０００２】
【従来の技術】
上記のように構成されたデジタル画像受付装置と類似する技術として特開２００１‐９２０３３号公報に示されるものが存在する。この従来の技術では、プリント注文機に対してデジタルカメラで撮影された画像情報が保存されたメディアをセットすることにより、このプリント注文機に備えた液晶画面に対してメディアに保存されている画像情報をサムネイル画像で表示すると共に、この液晶画面に備えたタッチパネルを介してプリントの要否等の注文に関連する情報の入力を行うことが可能となっており、この情報の入力を終えた後には、注文控えの印字を行って顧客に手渡し、又、画像情報や注文に関連する情報をインターネットを介してプリント作成装置に送り、このプリント作成装置で銀塩印画紙に対するプリントを行えるよう構成されている。そして、このプリント作成装置でプリント処理を終えた後に、注文控えを提示することで顧客がプリントされた印画紙を受け取ることが可能となっている。
【０００３】
【発明が解決しようとする課題】
近年のデジタルカメラの普及に伴い、前述した従来の技術のようにデジタルカメラで撮影された画像情報を、従来からのプリント装置を用いて銀塩印画紙等に対して高い品質でプリントする要望も高まっている。つまり、インクジェットプリンター等、個人が簡単にプリントを行えるプリンターもデジタルカメラと同様に普及して来ているものの、この種のプリンターを用いてもデジタルカメラで撮影された画像をプリントするには手間と時間が掛かり、プリントに要するランニングコストも安くは無く、高品質の画像のプリントを容易に低コストで行える従来からの銀塩式のプリント装置を用いることが望まれているのである。
【０００４】
そこで、公報番号を挙げた従来の技術を使用することも考えられる。具体的にはプリント注文装置に対して顧客がメディアをセットし、メディアに保存された画像情報をディスプレイに表示させ、その表示に基づいて顧客がオーダ（注文）を行うことになるのであるが、オーダを終えた際に顧客がメディアの取外しを忘れることも考えられ、改善の余地がある。
【０００５】
本発明の目的は、記憶媒体からの画像情報のプリントのオーダの受付の後には、その記憶媒体を顧客に対して確実に持ち帰らせ得る装置を合理的に構成する点にある。
【０００６】
【課題を解決するための手段】
本発明の請求項１に係るデジタル画像受付装置の特徴、作用・効果は次の通りである。
〔特徴〕
デジタル信号化された画像情報を保存した記憶媒体から画像情報を読出す媒体ドライブと、この媒体ドライブで読出した画像情報を表示するディスプレイと、オーダがあった画像情報をプリント装置に転送してプリントを可能にする処理手段とを備えているデジタル画像受付装置において、前記媒体ドライブが、前記記憶媒体をイジェクトするイジェクト機構と、この媒体ドライブ内における記憶媒体の存否を判別する存否センサを備えており、前記処理手段は、前記媒体ドライブにセットされた前記記憶媒体から画像情報の読出しを終えた後に、前記イジェクト機構で記憶媒体のイジェクトを行い、媒体ドライブから記憶媒体を取出す操作を促すメッセージと、次の処理を実行するためのボタンとが表示された案内画面を前記ディスプレイに表示する処理を行うと共に、この表示の後に、前記案内画面のボタンが操作された場合において、前記存否センサによって記憶媒体が存在することを判別した際には、アラームを作動させて前記案内画面の表示を維持し、前記存否センサによって記憶媒体が存在しないことを判別した際には、次の処理の実行を許す点にある。
【０００７】
〔作用・効果〕
上記特徴によると、媒体ドライブに記憶媒体がセットされると、処理手段は、記録媒体から画像情報を読出し、この後、イジェクト機構によって媒体ドライブから記録媒体をイジェクトし、ディスプレイに対して案内画面を表示する。この案内画面には、記録媒体を媒体ドライブから取出す操作を促すメッセージと、次の処理を実行するためのボタンとが表示され、媒体ドライブから記憶媒体を取出した後に、ボタンを操作した場合には次の処理に移行し、媒体ドライブから記憶媒体を取出さずにボタンを操作した場合には、アラームが作動し、案内画面の表示状態が維持される。その結果、記憶媒体の取外し忘れを解消して、顧客に記憶媒体を確実に持ち帰らせるものとなる。
【０００８】
本発明の請求項２に係るデジタル画像受付装置の特徴、作用・効果は次の通りである。
〔特徴〕
請求項１記載のデジタル画像受付装置において、前記処理手段は、複数種の前記記憶媒体に対応した複数のスイッチ部を有するメディア選択画面を前記ディスプレイに表示し、このメディア選択画面において使用する記憶媒体に対応するスイッチ部を選択した後に、前記案内画面をディスプレイに表示する処理を行う点にある。
【０００９】
〔作用・効果〕
上記特徴によると、顧客は、メディア選択画面において、使用する記憶媒体に対応したスイッチ部を操作することにより、次の処理が実行され、案内画面がディスプレイに表示される。
【００１０】
本発明の請求項３に係るデジタル画像受付装置の特徴、作用・効果は次の通りである。
〔特徴〕
請求項１又は２記載のデジタル画像受付装置において、前記処理手段は、前記媒体ドライブで記憶媒体から読出した画像情報をサムネイル形式でディスプレイに表示し、この表示に基づいて入力されたプリントの要否を含むオーダ情報を保存した後に、オーダを識別する情報を含んだ受付証の発行を行うよう処理順序が設定されている点にある。
【００１１】
〔作用・効果〕
上記特徴によると、処理手段は媒体ドライブで記憶媒体から読出した画像情報をサムネイル形式でディスプレイに表示し、この表示に基づいて入力されたプリントの要否を含むオーダ情報を保存した後に、オーダ情報を含んだ受付証の発行を行うことになり、この受付証によってオーダを特定できる。
【００１６】
【発明の実施の形態】
以下、本発明の実施の形態を図面に基づいて説明する。
図１〜図３に示すように、複数のデジタル画像受付装置Ｒ（以下、受付装置Ｒと略称する）と、銀塩式の印画紙１に画像情報のプリントを行うデジタル型の写真プリント装置Ｐと、これらの間で情報のアクセスを行う通信ネットワークＮとを備えてデジタル画像処理システムが構成されている。同図にはＤＰ店に設置されるデジタル画像処理システムを示しており、このシステムでは、デジタルカメラで撮影された画像情報を保存したスマートメディアＳＭ、コンパクトフラッシュＣＦ、メモリースティックＭＳ、ＰＣカードＰＣ−Ｃや、個人が画像情報を保存したＣＤ−ＲＯＭ、ＭＯ等の記憶媒体（以下、これらをメディアＭと総称する）からの画像情報のうちプリントを必要とするものを受付装置Ｒで受付けると共に、この受付時に発行される受付証ｒｅを顧客が図１に示すサービスカウンターＣでＤＰ店の担当者に提示することにより、その担当者が受付証ｒｅにプリントされた情報に基づき、写真プリント装置Ｐからの操作で受付装置Ｒに保存された画像情報と、オーダ情報とを通信ネットワークＮを介して取込み、これらの情報に基づいて、写真プリント装置Ｐで印画紙１にプリントを行い、受付証ｒｅを提示した顧客に手渡す処理を可能にするものである。
【００１７】
〔写真プリント装置〕
以下に写真プリント装置Ｐを説明する。この写真プリント装置Ｐは、テーブル状に形成されたオペレート部Ｐｏと現像処理部Ｐｄとを一体化した装置本体と、この装置本体から分離した位置のスキャナーユニットＰｓとを備えて成っている。装置本体のオペレート部Ｐｏの下部には、印画紙マガジン５からの印画紙１をプリントサイズに切断してデジタル型の露光ヘッド６に供給する露光系を内装し、この露光ヘッド６で露光された印画紙１の現像処理を行う現像処理槽７を現像処理部Ｐｄに内装し、この現像処理槽７で現像処理が行われた印画紙１は乾燥の後、現像処理部Ｐｄの上面の横送りコンベア８に送出し、この横送りコンベア８からの印画紙１を仕分けコンベア９に送出すよう処理形態が設定されている。前記露光ヘッド６は、印画紙１の搬送方向と直交する方向にレーザービームを送出して走査を行う形式のものが使用されているが、この露光ヘッド６として蛍光ビーム方式、液晶シャッター方式、ＤＭＤ方式又はＦＯＣＲＴ等の使用が可能である。
【００１８】
オペレート部Ｐｏには、ＣＤ−ＲＯＭとＤＶＤとからの情報の読出し、及び、ＣＤ−Ｒに対する情報の書き込みを行うコンボドライブ１０と、スマートメディアＳＭやコンパクトフラッシュＣＦやＭＯ等各種のメディアに対応した複数のマルチドライブ１１とを備えると共に、画像情報や各種情報の表示を行うディスプレイ１２を備え、オペレート部のテーブル状の部位には、キーボード１３とマウス１４とを備えている。そして、このオペレート部の下部にはマイクロプロセッサを有した制御部１５を備えている。
【００１９】
この制御部１５は汎用コンピュータを用いて成り、マイクロソフト社（Microsoft Corporation）のウインドウズ（Windows）をオペレーティングシステム（ＯＳ）として、各種のソフトウエアの作動を可能にするよう構成され、前記スキャナユニットＰｓでデジタル信号化された画像情報の補正や、必要な場合には画像情報のトリミングをオペレーティングシステム上で作動する画像処理ソフトで行い、この処理の結果を制御部１５の半導体メモリやハードディスクに保存し、印画紙１に対する画像情報の露光時に前記露光ヘッド６に転送するよう構成されている。
【００２０】
前記スキャナーユニットＰｓは、底部にキャスタを備えた筐体１７の上面に対して、交換自在にフィルムキャリア１８を備えると共に、筐体内部に光学レンズやＣＣＤ等の光電変換素子を有した光電変換部（図示せず）を備え、又、筐体内部に備えた光源から光ファイバーを介して送られる光線をフィルムキャリア１８の上面側に導くアーム１９を備えて成っている。そして、写真フィルム２のスキャニングを行う場合には、ネガティブフィルム、あるいは、ポジティブフィルムをフィルムキャリア１８にセットし、このフィルムキャリア１８で設定速度で移動させながらアーム１９の先端から下方に向けて照射する光線により、写真フィルム２の各コマの画像情報を光電変換部でデジタル信号化し、ケーブル２０を介して制御部１５に転送し得るよう構成されている。
【００２１】
〔受付装置〕
以下に受付装置Ｒを説明する。図２に示すように受付装置Ｒは、筐体２１の上面に対し表示面にタッチパネル２２を形成した液晶型のディスプレイ２３を備えると共に、筐体２１の前面には、メディアＭの具体例としての、スマートメディアＳＭ、コンパクトフラッシュＣＦ、メモリスティックＭＳ、メディアＭのアタッチメントとして機能するＰＣカードＰＣ−Ｃ、ＣＤ−ＲＯＭ、ＭＯ夫々に対応する媒体ドライブとしての複数のメディアドライブ２４を備え、筐体２１の上面でディスプレイ２３より前面側に受付証ｒｅを発行する熱転写式の受付証プリンタ２５を備え、筐体２１の内部に処理手段２６を内蔵して構成されている。又、図４に示すようにメディアドライブ２４にはセットされたメディアＭを送出すイジェクト機構２４Ａと、メディアドライブ２４に対してメディアＭの存否を判別する存否センサ２４Ｂとを備えている。
【００２２】
図４に示すように、前記処理手段２６は、前記メディアドライブ２４と、このメディアドライブ２４に付属するイジェクト機構２４Ａ、存否センサ２４Ｂとからの情報のアクセスと、タッチパネル２２との情報のアクセスとを可能に構成し、かつ、ディスプレイ２３に対する画像情報の出力と、前記受付証プリンタ２５に対する情報の出力を可能に構成してあり、又、情報の保存を行うハードディスク２７と、発光作動と電子音を出力する作動との少なくとも一方の作動を行う報知手段としてのアラーム２８を備え、更に、前記通信ネットワークＮを構成するＬＡＮインタフェース２９を備えている。構成の概略を説明すると、作業領域が形成されるＲＡＭ型の半導体メモリや、プログラムやパラメータ等が保存されるＲＯＭ型の半導体メモリの総称としてのメモリ３０を備えると共に、ハードウエア又はソフトウエア、あるいは、ハードウエアとソフトウエアとの組合わせで成る一覧化表示部３１、表示初期値設定部３２、表示順序設定部３３、表示変更部３４、オーダ情報取得部３５、オーダ情報保存部３６、処理制御部３７、取出し報知部３８、ＩＤ情報付与部３９、受付証発行部４０夫々をデータバスを介して互いの情報をアクセス自在に構成して成り、この処理手段２６に対して前記メディアドライブ２４、イジェクト機構２４Ａ、存否センサ２４Ｂからの信号のアクセス系、ディスプレイ２３に対する画像情報の出力系、タッチパネル２２からの信号の入力系、受付証プリンタ２５に対する信号の出力系、ハードディスク２７に対する信号のアクセス系、発光素子や圧電ブザーで成るアラーム２８に対する出力系、ＬＡＮインタフェース２９に対する信号のアクセス系を形成している。
【００２３】
前記一覧化表示部３１は、メディアドライブ２４でメディアＭから読出した画像情報をサムネイル形式（以下、サムネイル画像と称する）でディスプレイ２３に表示するよう機能する。又、メディアＭに保存される画像情報は、デジタルカメラで撮影されたものでは、ＪＰＥＧ（Joint Photograhic Experts Group）や、ＴＩＦＦ（Tag Image File Format）が主流であり、ＣＤ−ＲやＭＯに保存された画像にはＪＰＥＧや、ＴＩＦＦの形式以外にＧＩＦ（Graphics Interchange Format）やビットマップ（BitMap）も存在し、この一覧化表示部３１は、メディアＭにサムネイル画像が含まれる場合には、サムネイル画像の表示を行い、サムネイル画像が存在しない場合には、オリジナルの画像情報からサムネイル画像を生成してディスプレイ２３に表示する。
【００２４】
前記表示初期値設定部３２は、メディアＭから読出した画像情報のうち先頭に表示すべきものを設定するよう機能し、表示順序設定部３３はメディアＭから読出した画像情報の表示の順序を設定するよう機能し、例えば、デジタルカメラで撮影された画像情報の表示を行う場合には、ファイルのヘッダーに保存されている撮影日に基づいて、表示初期値設定部３２が撮影日が最も古いものを表示すべき画像情報の先頭に設定し、表示順序設定部３３が撮影順に従って画像情報を表示するよう順序を設定する処理が行われる。
【００２５】
前記表示変更部３４は、ディスプレイ２３に表示されたサムネイル画像を連続的に更新するよう機能するものであり、この受付装置Ｒでは、所定の操作に基づいてページを切換える形態で表示されている画像情報を順次更新する。
【００２６】
オーダ情報取得部３５は、ディスプレイ２３に表示されたサムネイル画像の近傍に「＋ボタン」「−ボタン」（図１４を参照）を表示すると共に、これらのボタンを操作した際に、そのサムネイル画像のプリント枚数を取得し、プリントすべき枚数の表示を行うよう機能するものである。
【００２７】
オーダ情報保存部３６は、プリントすべき画像情報と、プリント枚数とが最終的に決定した場合に、そのオーダ情報と画像情報とをハードディスク２７に保存するよう機能するものである。
【００２８】
処理制御部３７は、メディアドライブ２４からメディアＭを取出さない状態では受付処理の終了を行えないよう機能するものであり、取出し報知部３８はメディアドライブ２４からメディアＭの取出しを促す報知を行うよう機能するものである
【００２９】
ＩＤ情報付与部３９は、このようにオーダ情報と画像情報とをハードディスク２７に保存する際に、注文情報を識別し得るユニークな情報を生成して付与するよう機能するものであり、付与されたＩＤ情報はファイル名の一部に組み込まれる。
【００３０】
受付証発行部４０は、プリントすべき画像情報とプリント枚数とが最終的に決定した場合に、注文の明細とＩＤ情報とを受付証プリンタ２５でプリントして受付証ｒｅとして出力するよう機能するものであり、このように受付証ｒｅが出力された場合には、前述のように、この受付証ｒｅをサービスカウンターＣで提示する。
【００３１】
前記処理手段２６は、前記写真プリント装置Ｐにおける制御部１５と同様にマイクロソフト社（Microsoft Corporation）のウインドウズ（Windows）をオペレーティングシステム（ＯＳ）として、各種のソフトウエアの作動を可能にするよう構成され、メディアＭの画像情報をメディアドライブ２４から取り込んでディスプレイ２３に表示すると共に、このように表示された画像に基づいて顧客が選択した画像情報をハードディスク２７に保存し、この後、前記写真プリント装置Ｐからの要求に基づいて、画像情報とオーダ情報とを転送する。
【００３２】
又、この受付装置Ｒの処理手段２６と、写真プリント装置Ｐの制御部１５とはイーサーネット（Ethernet）規格の通信ケーブル４１とハブ４２とを用いてＬＡＮ（Local Area Network）接続して、ＴＣＰ／ＩＰ形式のプロトコルで互いに情報のアクセスを行えるよう構成してある。特に、後述するように、この受付装置Ｒのハードディスク２７に保存されるオーダ情報と、画像情報とは顧客を識別する情報を付したフォルダで管理され、このフォルダは、更にデータを保存するフォルダの下層に保存される。この構成からデータ保存用のフォルダやハードディスク２７を通信ネットワークＮ上で共有設定することにより写真プリント装置Ｐの制御部１５から、受付装置Ｒの情報を取出して容易にプリント処理を行えるものとなっている。
【００３３】
〔受付装置の受付処理〕
次に、受付装置における受付処理を処理順序に沿って説明する。この処理の概要は図５〜図７のフローチャートのように示すことが可能であり、その処理の際にディスプレイに表示される画像は図８〜図１９のように示される。
【００３４】
つまり、この受付装置Ｒでは待機状態では、図８に示すように、該受付装置Ｒの機能やＤＰ店のロゴマーク等を含む待機画面を表示し（＃０１ステップ）、顧客が画像のプリントの注文を行う場合には、ディスプレイ２３のタッチパネル２２に指を接触させることにより図９に示す「サービス選択画面」が表示される（＃０２ステップ）。この画面には「サービスを選択して下さい」とのメッセージと共に、プリントの受付を行わせるプリント受付スイッチ部４５と、メディア保存受付を行わせるメディア保存受付スイッチ部４６とを表示して、顧客に選択を求める。尚、メディア保存受付スイッチ部４６が操作された場合には、メディアＭに保存された画像情報を、写真プリント装置Ｐに転送して、写真プリント装置ＰにおいてＣＤ−ＲやＭＯに保存する処理が行われるが、プリントを受付ける処理と基本的に同じ処理形態であるので詳述しない。
【００３５】
又、「サービス選択画面」が表示された状態で、プリント受付スイッチ部４５が操作された場合には、次に、図１０に示す「メディア選択画面」が表示される（＃０３ステップ）。この「メディア選択画面」には「メディアを選択して下さい」とのメッセージと共に、メディアＭを選択する複数のスイッチ部４７を表示して顧客に選択を求める。顧客が使用するメディアＭに対応するスイッチ部４７を接触操作することで次の処理が実行される。この「サービス選択画面」の下側には処理を中止する中止ボタン４８と、前の処理に戻る戻るボタン４９とが表示され、これら中止ボタン４８と戻るボタン４９とは、後述する処理においても同じ位置に表示され、操作することにより同様に機能する。
【００３６】
次の処理として、図１１に示す「メディアセット案内画面」が表示され（＃０４ステップ）、この画面には「メディアをセットしてＯＫボタンを押して下さい」とのメッセージと共に、対応するメディアＭをセットする際の具体的な画像が表示され、顧客がメディアドライブ２４にメディアＭをセットしＯＫボタン５０を操作することで、セットされたメディアＭから画像情報を読出して一時的にハードディスク２７に保存した後（＃０５ステップ）、次の処理が実行される。
【００３７】
前記「メディアセット案内画面」に従ってメディアＭがセットされた後には、メディア取出しルーチン（＃１００ステップ）が実行される。このステップの処理では図６のフローチャートに示すように、イジェクト機構２４Ａによってメディアドライブ２４からメディアＭをイジェクト（送出し）を行うと共に、図１２に示す「メディアの取出し案内画面」を表示して顧客に対してメディアＭの取出しを促すメッセージを表示し、かつ、画面の下側に中止する中止ボタン４８と、前の処理に戻る戻るボタン４９と、ＯＫボタン５０とを表示し（＃１０１、＃１０２ステップ）、ＯＫボタン５０を操作した場合には、存否センサ２４ＢでメディアＭの存否を判別し、メディアＭが存在する場合にはメディアＭが取出されていないと判断してアラーム２８を作動させて、この画面の表示を維持し、ＯＫボタン５０を操作した場合に存否センサ２４ＢでメディアＭを検出しない場合には次の処理が実行される。
【００３８】
このようにメディアドライブ２４からメディアＭの取出しを促すメッセージを表示させる処理と、アラーム２８を作動させる処理とを前記取出し報知部３８が行わせ、メディアドライブ２４からメディアＭの取出しを行わない場合に、次の処理に移行させない処理を処理制御部３７が行わせている。
【００３９】
図１３に示す「プリントサイズ選択画面」が表示される（＃０６ステップ）。この画面には「プリントサイズを選択して下さい」とのメッセージと共に、複数のプリントサイズに対応したサイズ指定スイッチ５１が表示され、このサイズ指定スイッチ部にはプリントサイズを示す「Ｌ版」や「２Ｌ版」の文字の他に、プリントサイズを示す数値と、プリントの単価と、プリントの基本料金とが表示され、何れか１つのサイズ指定スイッチ５１を操作することで次の処理が実行される。
【００４０】
前記「プリントサイズ選択画面」においてサイズ指定スイッチ５１が操作された後には、図１４に示す「プリント枚数設定画面」が表示される（＃２００ステップ）。この画面には「プリント枚数を設定して下さい」とのメッセージと、メディアから読出された複数の画像情報がサムネイル画像Ｓとが表示されると共に、画面下側に中止ボタン４８と、戻るボタン４９と、更新スイッチとして機能する次へボタン５２と、選択スイッチとして機能するページ指定ボタン５３が表示され、又、画面下側の中央位置に情報エリアＤＥが表示される。そして、この次へボタン５２やページ指定ボタン５３の操作に基づいてプリントすべき画像情報の選択を行った後に図１５に示すように、次へボタン５２に代えて表示されるＯＫボタン５０を操作することで次の処理が実行される。
【００４１】
前記プリント枚数設定ルーチン（＃２００ステップ）はサブルーチンとしてセットされ、図７のフローチャートに従って処理が実行される。この処理では予め設定された情報に基づいて、サムネイル画像Ｓの表示順序と表示初期値とが取得され、画面に対して設定数のサムネイル画像Ｓの表示を行う（＃２０１、＃２０２ステップ）。このプリント枚数設定ルーチン（＃２００ステップ）において、複数のサムネイル画像Ｓを画面に表示するために前記一覧化表示部３１が機能し、この表示を行う際に最初のページを設定するために前記表示初期値設定部３２が機能し、表示の順序を設定するために前記表示順序設定部３３が機能する。
【００４２】
「プリント枚数設定画面」には図１４に示す夫々のサムネイル画像Ｓのフレーム５４の上段に画像情報を特定するファイルの名称と、ファイルの種類を示す拡張子とを表示し、フレーム５４の下段にはプリント枚数を示す数値を表示する枚数表示エリア５５を形成し、このプリント枚数表示エリアを挟む位置にプリント枚数を１枚ずつ増加させる＋ボタン５６と、プリント枚数を１枚ずつ減少させる−ボタン５６とを表示する。又、「プリント枚数設定画面」の下側には、前述したように中止ボタン４８と、戻るボタン４９と、次へボタン５２とを表示すると共に、情報エリアＤＥには、選択されたプリントサイズの情報、設定されたプリントの合計枚数、プリントに要する合計金額、ページを示す数字が、全てのプリント枚数を１枚ずつ増加させる全体＋ボタン５７と全てのプリント枚数を１枚ずつ減少させる全体−ボタン５７とを表示する。
【００４３】
「プリント枚数設定画面」では８つのサムネイル画像Ｓを１ページとして表示するよう設定され、前述した表示順序として、画像の撮影日、あるいは、作成日が古いものを先に、新しいものを後にするよう設定され、表示初期値として最も古いものを設定してある。従って、「プリント枚数設定画面」の初期画面には最も古い画像情報から８つのサムネイル画像が表示される。そして、次へボタン５７を操作すると、次のページの８つのサムネイル画像の表示を行い、戻るボタン４９を操作すると、前の８つのサムネイル画像の表示を行う（＃２０３、＃２０４ステップ）。この表示が行われる際には、情報エリアＤＥに対して、前ページを示す数字と、現在表示されているページを示す数字とが分数で表示される。このように８つのサムネイル画像Ｓをページ単位で順次切り換えて表示する処理を前記表示変更部３４が行わせている。
【００４４】
この「プリント枚数設定画面」では初期状態において、全てのサムネイル画像Ｓのフレーム５４の下段の枚数表示エリア５５の数値が「０」に設定され、＋ボタン５６を操作すると、その画像のプリント枚数が１増加し、−ボタン５６を操作すると、その画像情報のプリント枚数が１減少し、その設定枚数が枚数表示エリア５５に表示される。又、全体＋ボタン５７を操作することで、画面に表示されない画像も含めて全ての画像情報のプリント枚数が１増加し、全体−ボタン５７を操作することで、画面に表示されない画像も含めて全ての画像情報のプリント枚数が１減少する（＃２０５ステップ）。
【００４５】
このように、夫々の画像情報のプリント枚数の設定を行い最後のページを表示した際には、最後のサムネイル画像Ｓの外周部を、背景と異なる色となる強調表示が行われると共に（図１５を参照・ハッチングを付した領域）、前述したように、次へボタン５２と表示されていたボタンがＯＫボタン５０に切換わり、このＯＫボタン５０を操作することでプリント枚数の設定が終了し、オーダ情報が生成される（＃２０６、＃２０７ステップ）。このようにオーダ情報を取得して表示する処理を前記オーダ情報取得・表示部が行わせている。
【００４６】
次の処理として、図１６に示す「名前入力画面」が表示される。この画面には、「名前を入力して下さい」とのメッセージが表示されると共に、名前表示部とキーボードとを有した入力ボード６３が表示され、キーボードに接触して名前を入力するとＯＫボタン５０が表示されるので、ＯＫボタン５０を操作することにより、次の処理として、図１７に示すよ「電話番号入力画面」が表示される。この画面には「電話番号を入力して下さい」とのメッセージが表示されると共に、電話番号表示部とキーボードとを有した入力ボード６４が表示され、キーボードに接触して電話番号を入力するとＯＫボタン５０が表示されるので、このＯＫボタン５０を操作することにより、この入力処理が終了し、次の処理が実行される（＃０７ステップ、＃０８ステップ）。
【００４７】
このように顧客の名前や電話番号を入力する処理は、プリントを行う上で必須の事項でないので入力がない場合でも次の処理に移行できるよう処理形態を設定することが可能であるが、顧客の名前の入力がない場合には受付装置が生成した番号や符号を自動的に入力するよう処理形態を設定することが合理的である。
【００４８】
次の処理として、図１８に示す「注文内容確認画面」が表示される。この画面には「注文の内容を確認して下さい」とのメッセージが表示されると共に、顧客が該受付装置から入力したプリントの詳細と金額とを一覧化した確認シート６５が表示され、この表示内容に誤りがなければＯＫボタン５０を操作することで、前記オーダ情報と、前述のようにハードディスク２７に一時的に保存されていた画像情報のうちプリント対象に指定されたものとにＩＤ情報を付与した形態のフォルダが新たに生成され、ハードディスク２７に保存される（＃０９、＃１０ステップ）。このようにオーダ情報を保存する処理を前記オーダ情報保存部３６が行い、ＩＤ情報を付与する処理を前記ＩＤ情報付与部３９が行っている。
【００４９】
次の処理として、図１９に示す「受付発行案内画面」が表示される。この画面には「受付証を発行中です、しばらくお待ち下さい」「受付証はカウンタに持参して下さい」とのメッセージが表示され、所定の時間が経過するとプリンターで受付証がプリントされて送出される。このように受付証が発行されると、受付処理の全てが終了して初期画面に復帰するものとなる（＃１１ステップ、＃１２ステップ）。このように受付証ｒｅを発行する処理を前記受付証発行部４０が行っている。
【００５０】
受付証ｒｅは図２０に示すように、受付証本体と、お客様控えとが連なった形態となっており、お客様名、電話番号、受付ＩＤ、端末ＩＤ、受付日、注文番号等の他に注文の詳細を示す内容がプリントされている。
【００５１】
このように本発明の受付装置Ｒは、顧客がディスプレイ２３に表示されるメッセージに従って操作が可能になるばかりで無く、デジタルカメラで撮影された画像情報を保存したスマートメディアＳＭ、コンパクトフラッシュＣＦや、顧客が画像情報を保存したＣＤ−ＲＯＭ、ＭＯ等のメディアを該受付装置Ｒにセットした後には、ディスプレイ２３に表示されるサムネイル画像Ｓに基づいてプリントを必要とするものの選択を簡単に行えるものとなっており、この受付時に発行される受付証ｒｅを顧客が図１に示すサービスカウンターＣでＤＰ店の担当者に提示することにより、その担当者が受付証ｒｅにプリントされた情報に基づき、写真プリント装置Ｐからの操作で受付装置Ｒに保存されたオーダ情報と、画像情報とを通信ネットワークＮを介して取込み、これらの情報に基づいて、写真プリント装置Ｐでプリントを行えるので、即時にプリントを開始して受付証ｒｅを提示した顧客に手渡す処理を可能にするものにしている。
【００５２】
特に、本発明では、メディアドライブ２４に対してメディアＭをセットした場合には、そのメディアＭの画像情報を読出して一時的に保持し、この後、メディアドライブ２４からメディアＭの取出しを促すメッセージをディスプレイ２３に表示し、かつ、イジェクト機構２４Ａによってメディアドライブ２４からメディアＭを送り出すことによって、メディアＭの取出しを顧客に強く認識させるものとなっており、この後に、存否センサ２４ＢによってメディアＭの取出しが確認できた場合にのみ、次の処理に移行して、結果として受付処理を終了できるものとなっている。これにより、顧客はメディアドライブ２４からメディアＭの取出しを確実に行うものとなり、メディアドライブ２４からメディアＭの取出しを忘れてしまう不都合を解消できるものとなっている。
【００５３】
〔別実施の形態〕
本発明は、受付処理が終了する以前であれば、どのようなタイミングであってもメディアドライブ２４からメディアＭの取出しを行わせるための処理を行うよう構成することも可能であり、例えば、図２１のフローチャートに示すように、前述した実施の形態のうち、プリントを依頼する操作が終了し、処理の１つの区切りとして顧客が認識するタイミング、つまり、受付証ｒｅを発行する直前において、メディア取出しルーチン（＃１００ステップ）を実行することにより、メディアＭの取出しを確実に行わせるよう、処理順序を設定することも可能である。
【００５４】
このように処理形態を設定することにより、受付証ｒｅとメディアＭとを略等しいタイミングで受付装置Ｒから取出させるものとなり、類似する操作形態を近似するタイミングで行わせることで、顧客にとって違和感のない良好な操作感覚を与えるものとなる。
【図面の簡単な説明】
【図１】デジタル画像受付システムの全体斜視図
【図２】受付装置の斜視図
【図３】デジタル画像受付システムの構成図
【図４】受付装置のブロック回路図
【図５】受付処理を示すフローチャート
【図６】メディア取出しルーチンのフローチャート
【図７】プリント枚数設定ルーチンのフローチャート
【図８】初期画面を示す図
【図９】サービス選択画面を示す図
【図１０】メディア選択画面示す図
【図１１】メディアセット案内画面を示す図
【図１２】メディア取出し案内画面を示す図
【図１３】プリントサイズ選択画面を示す図
【図１４】プリント枚数設定画面を示す図
【図１５】プリント枚数設定画面を示す図
【図１６】名前入力画面を示す図
【図１７】電話番号入力画面を示す図
【図１８】注文内容確認画面を示す図
【図１９】受付証発行案内画面を示す図
【図２０】受付証を示す図
【図２１】別実施の受付処理を示すフローチャート
【符号の説明】
２２            タッチパネル
２３            ディスプレイ
２４            媒体ドライブ
２４Ａ          イジェクト機構
２４Ｂ          存否センサ
２６            処理手段
２７            報知手段
３７            処理制御部
３８            取出し報知部
Ｍ              記憶媒体
ｒｅ            受付証
【図１】
0003901971.tif 000002
【図２】
0003901971.tif 000003
【図３】
0003901971.tif 000004
【図４】
0003901971.tif 000005
【図５】
0003901971.tif 000006
【図６】
0003901971.tif 000007
【図７】
0003901971.tif 000008
【図８】
0003901971.tif 000009
【図９】
0003901971.tif 000010
【図１０】
0003901971.tif 000011
【図１１】
0003901971.tif 000012
【図１２】
0003901971.tif 000013
【図１３】
0003901971.tif 000014
【図１４】
0003901971.tif 000015
【図１５】
0003901971.tif 000016
【図１６】
0003901971.tif 000017
【図１７】
0003901971.tif 000018
【図１８】
0003901971.tif 000019
【図１９】
0003901971.tif 000020
【図２０】
0003901971.tif 000021
【図２１】
0003901971.tif 000022